(57)【要約】【課題】逐次制御から自動制御に切り替わる際のロボットの動作自由度を確保できる教育教材用ロボットを提供する。【解決手段】本発明の教育教材用ロボットは、電気的な制御信号による逐次制御および実行オブジェクトであるプログラムによる自動制御の少なくとも一方に基づいて動作するロボットと、ロボットに制御信号を与える制御装置と、制御装置とロボットとを接続すると共に制御信号を電気的にやり取りする制御ケーブルと、を備え、制御装置は、逐次制御から自動制御に切り替える切り替え信号を、ロボットに出力可能であり、制御ケーブルは、切り替え信号に基づいて、ロボットに対する拘束力を弱める。【選択図】図１
2011224732.tif 000002
【特許請求の範囲】
【請求項１】
電気的な制御信号による逐次制御および実行オブジェクトであるプログラムによる自動制御の少なくとも一方に基づいて動作するロボットと、
前記ロボットに前記制御信号を与える制御装置と、
前記制御装置と前記ロボットとを接続すると共に前記制御信号を電気的にやり取りする制御ケーブルと、を備え、
前記制御装置は、前記逐次制御から前記自動制御に切り替える切り替え信号を、前記ロボットに出力可能であり、
前記制御ケーブルは、前記切り替え信号に基づいて、前記ロボットに対する拘束力を弱める教育教材用ロボット。
【請求項２】
前記制御ケーブルは、前記切り替え信号に基づいて、前記ロボットから外れる請求項１記載の教育教材用ロボット。
【請求項３】
前記制御ケーブルは、前記制御ケーブルと前記ロボットとの接続部に設けられる電磁石の磁力によって前記ロボットに接続され、前記電磁石の磁力の解除によって前記ロボットから外れる請求項２記載の教育教材用ロボット。
【請求項４】
前記切り替え信号は、前記電磁石への電流を停止する請求項３記載の教育教材用ロボット。
【請求項５】
前記切り替え信号は、前記逐次制御から前記自動制御へ変更する制御装置からの命令動作によって出力される、請求項１から４のいずれか記載の教育教材用ロボット。
【請求項６】
前記制御ケーブルが外れることによって、前記ロボットは、広い動作空間において前記自動制御に基づく動作を行う請求項１から５のいずれか記載の教育教材用ロボット。
【請求項７】
前記制御装置は、前記制御ケーブルが外れた後で、前記プログラムの動作状態を表示する表示部を更に備える請求項１から６のいずれか記載の教育教材用ロボット。
【請求項８】
前記切り替え信号に基づいて前記制御ケーブルが外れない場合には、前記ロボットは、その動作を停止する請求項１から７のいずれか記載の教育教材用ロボット。
【請求項９】
前記逐次制御は、前記制御装置から出力される制御信号に基づいて、前記ロボットを逐次手順によって制御し、前記自動制御は、前記ロボットが備えるプログラムが含む動作命令手順に基づいて、前記ロボットを自動手順によって制御する、請求項１から８のいずれか記載の教育教材用ロボット。
【請求項１０】
前記制御装置は、前記ロボットが実行可能な動作種類に対応する制御信号を出力可能である、請求項１から９のいずれか記載の教育教材用ロボット。
【請求項１１】
前記ロボットは、前記プログラムに基づく実行オブジェクトを記憶可能な記憶部を備え、前記ロボットは、前記記憶部に記憶される前記実行オブジェクトを読み出すことで、前記プログラムが含む動作命令順に基づいて動作する請求項１から１０のいずれか記載の教育教材用ロボット。
【請求項１２】
前記ロボットは、前記切り替え信号が出力される前では、前記逐次制御に基づいて動作し、前記切り替え信号が出力された後では、前記自動制御に基づいて動作する請求項１から１１のいずれか記載の教育教材用ロボット。
【請求項１３】
請求項１から１２のいずれか記載のロボットと、
請求項１から１２のいずれか記載の制御装置と、
請求項１から１２のいずれか記載の制御ケーブルと、を備える教育教材用ロボットのキット。
【発明の詳細な説明】
【技術分野】
【０００１】
本発明は、園児、小学生、中学生および高校生といった比較的低年齢の生徒等を対象とした教育教材に用いられるロボットであって、有線接続を介した逐次制御からプログラム動作による自動制御への段階的な知識を教授するのに好適に用いられる教育教材用ロボットに関する。
【背景技術】
【０００２】
近年、小学校、中学校および高校などにおいて、生徒に対する情報処理技術、制御処理技術、機械工学、電子工学などの実学的な要素を含んだ科目や指導要領が追加される状態にある。これは、数学、物理、英語といった一般の課目に加えて、科学技術立国を目指す我が国の教育の礎である生徒達に対して、科学技術等に興味を持たせると共に、科学技術を楽しく学んでもらおうという意図に基づくものである。
【０００３】
このような授業カリキュラムや指導要領に基づいて、パーソナルコンピュータを操作する授業、ネットワークを用いた授業などが教育現場で組み込まれている。加えて、ロボットコンテストなどの興隆に合わせて、ロボットの製作を通じて、機械工学、電子工学、情報処理技術、通信技術などを生徒に学ばせるカリキュラムも徐々に導入されている。ロボットは、動力から動作を伝達する機械工学や制御工学の要素を含んだり、電源から電力を取り出す電子工学の要素を含んだり、プログラムによって動作させたりする情報処理技術の要素を含んだりしているので、生徒達に対して、様々な工学的要素を学ばせるのに適しているからである。
【０００４】
例えば、先生が生徒に対して、所定の目的を達成するロボット（制御機構や動力機構などは、用意されたものを用いることもある）を製作させる。生徒は、ロボットを製作し、実際にロボットを動作させて製作したロボットの出来栄えを確認する。あるいは、生徒達は、色々な地区で開催されるロボットコンテストに出展し、製作したロボットの良さを他のロボットと競う。
【０００５】
ロボットの製作は、上述のように、様々な工学的要素を生徒達に学ばせるのに適していると共に、これら要素に基づいて製作した結果物の出来栄えを、直接的に把握できるメリットがある。このメリットによって、生徒達は、楽しくかつ興味をもって授業に取り組むことが可能となる。
【０００６】
以上のように、ロボットの製作は、小学校、中学校および高校などにおける教育カリキュラムにおいて重要な役割を果たしている。
【０００７】
ところで、教育現場においては、生徒達が学ぶべき技術的要素や工学的要素は、生徒の一般科目のカリキュラムや指導要領などに従って段階的に学ばれることが好ましい。例えば、まずは手作業で工作を行った後で、ＣＡＤなどを用いた工作を行うように段階を踏むことが求められる。
【０００８】
ここで、ロボットは様々な技術的要素を含むが、その動作制御は、制御信号を逐次与えることによって制御する逐次制御（リモート操作）、予めプログラミングされたプログラムによって制御する自動制御と、を含む。
【０００９】
逐次制御は、必要に応じて都度発行される制御信号に基づいているので、生徒達が機械動作の手順や仕組みを最初に学ぶのに適している。一方、プログラムによる自動制御は、予め全ての動作をプログラムに盛り込む必要があり、より高い視点での技術的見地を要求するので、逐次制御を学んだ後で学ぶことが適している。
【００１０】
このため、教育現場においては、まず逐次制御を学び、次いで自動制御を学ぶことが求められる。
【００１１】
加えて、制御信号を与える逐次制御では、制御装置から有線接続された信号線を介してロボットを制御する有線通信による逐次制御と、制御装置から無線信号を介してロボットを制御する無線通信による逐次制御と、がある。無線通信による逐次制御は、ノイズ、エラー処理といったより高度な技術的要素を理解する必要があり、これらは小中学校程度の数学の範疇を超えるため、教育現場でのカリキュラムとしては好ましくないこともある。
【００１２】
加えて、無線通信を用いてロボットの動作を制御することを教育現場で行う場合には、狭い教室の中で多数の電波が飛び交うことになり、電波の混乱を防止するために、複数の周波数帯を用意する必要がある。しかし、電波法などの問題でこれは困難である。
【００１３】
このため、教育現場においては、有線通信による逐次制御とプログラムによる自動制御とによるロボットの製作、動作などを、生徒達に学ばせることが必要になっている。このとき、有線通信による逐次制御のロボットとプログラムによる自動制御のロボットと、をそれぞれ別に製作することは、時間、予算といった問題で好ましくない。また、逐次制御と自動制御とを連関して学ばせることが好適でもある。
【００１４】
以上の状況から、一つのロボットで、有線通信による逐次制御とプログラムによる自動制御とを同時に実現しつつ学べる教育教材用ロボットが求められていた。教育教材用ロボットではないが、有線通信とプログラム制御とによるロボットについていくつかの技術提案がなされている（例えば、特許文献１、特許文献２、特許文献３参照）。
【００１５】
このような中で、有線通信による逐次制御からプログラムによる自動制御に移行できると共に移行の前後におけるロボット動作への悪影響の無いロボットが求められている。
【先行技術文献】
【特許文献】
【００１６】
【特許文献１】特開２０１０−２３１８３号公報
【特許文献２】特開平５−４２４９３公報
【特許文献３】特開平７−１０４８５２号公報
【発明の概要】
【発明が解決しようとする課題】
【００１７】
特許文献１は、工場のラインで運搬等に利用される自走式ロボットであって、ある第１領域から別の第２領域にロボットが移動する際に、ロボットと制御装置とを接続する有線コードが解除される機構を開示する。
【００１８】
しかしながら、特許文献１のロボットは、第１領域から第２領域に移動する際に有線コードを解除する機構を開示するだけで、逐次制御から自動制御への切り替わりやこれにあわせた対応技術を開示していない。特許文献１に開示されるロボットは、工場のラインのような、領域の把握と領域に基づいた動作制御の切り替えが予め設定できる状況には適しているが、生徒達が製作する教育教材用ロボットにおいては適していない。また、特許文献１に開示されるロボットは、逐次制御による動作を開示しておらず、逐次制御や自動制御の切り替えや切り替え時に生じるロボットへの悪影響を解消できない問題を有している。
【００１９】
このため特許文献１は、有線通信による逐次制御からプログラムによる自動制御への切り替え後に、ロボットの動作の自由度を確保するといった問題を解決できていない。有線コードが取り外された後は、既に命令として受けていた制御に基づく動作を行うだけだからである。
【００２０】
特許文献２は、制御装置から操作盤を外した場合でも、ロボットの動作を継続できる技術を開示する。
【００２１】
しかしながら、特許文献２に開示されるロボットは、有線通信による逐次制御からプログラムによる自動制御への切り替えや切り替えに伴う処理を開示していない。このため、特許文献２に開示されるロボットは、逐次制御から自動制御に切り替える制御を実現できない。
【００２２】
特許文献３は、自走式ロボットの電源コードに関る張力を検出し、自走式ロボットに対する電源コードの影響を防止する技術を開示する。
【００２３】
しかしながら、特許文献３に開示される自走式ロボットは、有線通信による逐次制御からプログラムによる自動制御への切り替えや切り替えに伴う処理を開示していない。このため、特許文献２に開示されるロボットは、逐次制御から自動制御に切り替える制御を実現できない。
【００２４】
また、特許文献１〜３のいずれのロボットにおいても、有線通信による逐次制御およびプログラムによる自動制御の知識を学ばせる教育教材用ロボットおよびこれに必要な技術を開示していない。特に、逐次制御から自動制御に切り替わる際には、ロボットを拘束する制御ケーブルを処置しなければ、折角生徒達が作成したプログラムに基づくプログラミング動作が不十分となる問題もある。
【００２５】
以上のように、従来技術のロボットは、（１）有線通信による逐次制御およびプログラムによる自動制御を同時に学ぶことのできる教育教材用としての技術を開示しない、（２）有線通信による逐次制御からプログラムによる自動制御に切り替わる際にロボット動作の自由度を確保できない、といった問題を有していた。これらの問題を残したままであると、生徒達の教育指導が不十分になる問題がある。
【００２６】
本発明は、以上の課題に鑑み、教育教材用ロボットとして必要となる有線通信による逐次制御とプログラムによる自動制御との機構を含むと共に、逐次制御から自動制御に切り替わる際のロボットの動作自由度を確保できる教育教材用ロボットを提供することを目的とする。
【課題を解決するための手段】
【００２７】
上記課題を解決するために、本発明の教育教材用ロボットは、電気的な制御信号による逐次制御および実行オブジェクトであるプログラムによる自動制御の少なくとも一方に基づいて動作するロボットと、ロボットに制御信号を与える制御装置と、制御装置とロボットとを接続すると共に制御信号を電気的にやり取りする制御ケーブルと、を備え、制御装置は、逐次制御から自動制御に切り替える切り替え信号を、ロボットに出力可能であり、制御ケーブルは、切り替え信号に基づいて、ロボットに対する拘束力を弱める。
【発明の効果】
【００２８】
本発明の教育教材用ロボットは、有線通信による逐次制御からプログラムによる自動制御に切り替わる際に、ロボットを拘束する有線通信用の制御ケーブルが取り外れる。この結果、プログラムによる自動制御に切り替わった後で、ロボットは、プログラムに従って自由に動作できる。
【００２９】
教育教材用ロボットを製作・使用を通じて生徒は、有線通信による逐次制御でのロボットの制御（逐次制御に必要な電子工学、機械工学等の知識）を学びつつプログラムによるロボットの自動制御（自動制御に必要な情報処理技術）を学ぶことができる。
【００３０】
また、生徒達は、逐次制御から自動制御への切り替わりの意味することを、製作・使用するロボットから把握することができる。加えて、プログラムによる自動動作時には、ロボットの動作の自由度が高まるので、プログラムの自由度も高まり、教育的効果も高まる。
【００３１】
更には、有線通信による逐次制御というベーシックな制御機構と、この場合のデメリット（制御ケーブルによる動作の自由度が低いこと）をプログラムによる自動制御が解消できることを、生徒達は学ぶことができる。
【００３２】
このように、生徒達が技術的進歩を段階的に感じることができることで、本発明の教育教材用ロボットは、教育現場における高い教育的価値を有する。
【図面の簡単な説明】
【００３３】
【図１】本発明の実施の形態１における教育教材用ロボットの模式図である。
【図２】本発明の実施の形態１における制御ケーブルがロボットに対する拘束力を弱める状態を説明する模式図である。
【図３】本発明の実施の形態１における教育教材用ロボットの制御ケーブルが外れる状態を説明する模式図である。
【図４】本発明の実施の形態１における人間型ロボットの正面図である。
【図５】本発明の実施の形態１における制御ケーブルの取り外しを説明する模式図である。
【図６】本発明の実施の形態１における所定空間でのロボットの動作を示す説明図である。
【図７】本発明の実施の形態２における制御装置の模式図である。
【発明を実施するための形態】
【００３４】
本発明の第１の発明に係る教育教材用ロボットは、電気的な制御信号による逐次制御および実行オブジェクトであるプログラムによる自動制御の少なくとも一方に基づいて動作するロボットと、ロボットに制御信号を与える制御装置と、制御装置とロボットとを接続すると共に制御信号を電気的にやり取りする制御ケーブルと、を備え、制御装置は、逐次制御から自動制御に切り替える切り替え信号を、ロボットに出力可能であり、制御ケーブルは、切り替え信号に基づいて、ロボットに対する拘束力を弱める。
【００３５】
この構成により、教育現場の児童や生徒は、逐次制御と自動制御との両方を学ぶことができる。加えて、逐次制御から自動制御に移行すると、ロボットに接続される制御ケーブルの拘束力が弱まるので、自動制御におけるロボットの動作自由度が高まる。
【００３６】
本発明の第２の発明に係る教育教材用ロボットでは、第１の発明に加えて、制御ケーブルは、切り替え信号に基づいて、ロボットから外れる。
【００３７】
この構成により、ロボットは、逐次制御から自動制御に移行した後で、制御ケーブルによる拘束を受けなくなり、高い自由度で動作できるようになる。このため、プログラム設計の自由度が高まり、教育現場でのプログラムの学習に良い影響をもたらす。
【００３８】
本発明の第３の発明に係る教育教材用ロボットでは、第２の発明に加えて、制御ケーブルは、制御ケーブルとロボットとの接続部に設けられる電磁石の磁力によってロボットに接続され、電磁石の磁力の解除によってロボットから外れる。
【００３９】
この構成により、制御ケーブルは簡単な構造と操作で、ロボットから外れる。特に、制御装置で電磁石に対して電流の付与を遮断するだけで、制御ケーブルが簡単に外れるので、切り替え信号の発生とあわせた処理が可能である。
【００４０】
本発明の第４の発明に係る教育教材用ロボットでは、第３の発明に加えて、切り替え信号は、電磁石への電流を停止する。
【００４１】
この構成により、切り替え信号の発生により、制御ケーブルは確実にロボットから外れる。
【００４２】
本発明の第５の発明に係る教育教材用ロボットでは、第１から第４のいずれかの発明に加えて、切り替え信号は、逐次制御から自動制御へ変更する制御装置からの命令動作によって出力される。
【００４３】
この構成により、使用者が逐次制御から自動制御に切り替えることの命令付与が、制御ケーブルの解除につながる切り替え信号をそのまま発生させる。
【００４４】
本発明の第６の発明に係る教育教材用ロボットでは、第１から第５のいずれかの発明に加えて、制御ケーブルが外れることによって、ロボットは、広い動作空間において自動制御に基づく動作を行う。
【００４５】
この構成により、ロボットは、高い自由度で動作できる。このため、製作者は、自身が製作したプログラムによる動作を把握できるので、教育的効果が高まる。
【００４６】
本発明の第７の発明に係る教育教材用ロボットでは、第１から第６のいずれかの発明に加えて、制御装置は、制御ケーブルが外れた後で、プログラムの動作状態を表示する表示部を更に備える。
【００４７】
この構成により、使用者は、プログラムに基づく自動制御となったロボットの動作状態の正しさを把握することができる。
【００４８】
本発明の第８の発明に係る教育教材用ロボットでは、第１から第７のいずれかの発明に加えて、切り替え信号に基づいて制御ケーブルが外れない場合には、ロボットは、その動作を停止する。
【００４９】
この構成により、制御ケーブルの拘束力が残る場合であっても、ロボットの故障等を未然に防止できる。
【００５０】
本発明の第９の発明に係る教育教材用ロボットでは、第１から第８のいずれかの発明に加えて、逐次制御は、制御装置から出力される制御信号に基づいて、ロボットを逐次手順によって制御し、自動制御は、ロボットが備えるプログラムが含む動作命令手順に基づいて、ロボットを自動手順によって制御する。
【００５１】
この構成により、教育現場における児童や生徒は、逐次制御と自動制御の両方を、ロボットの製作や制御を通じて学ぶことができる。
【００５２】
本発明の第１０の発明に係る教育教材用ロボットでは、第１から第９のいずれかの発明に加えて、制御装置は、ロボットが実行可能な動作種類に対応する制御信号を出力可能である。
【００５３】
この構成により、制御装置を操作することで、ロボットの一つ一つの動作を逐次的に制御できる。この結果、教育現場における児童や生徒は、逐次制御を確実に理解できる。
【００５４】
本発明の第１１の発明に係る教育教材用ロボットでは、第１から第１０のいずれかの発明に加えて、ロボットは、プログラムに基づく実行オブジェクトを記憶可能な記憶部を備え、ロボットは、記憶部に記憶される実行オブジェクトを読み出すことで、プログラムが含む動作命令順に基づいて動作する。
【００５５】
この構成により、教育現場の児童や生徒は、ロボットやプログラムの製作や制御を通じて、自動制御を確実に理解できる。加えて、ロボットは、実行オブジェクトを実行して、プログラムに基づく動作を行える。
【００５６】
本発明の第１２の発明に係る教育教材用ロボットでは、第１から第１１のいずれかの発明に加えて、ロボットは、切り替え信号が出力される前では、逐次制御に基づいて動作し、切り替え信号が出力された後では、自動制御に基づいて動作する。
【００５７】
この構成により、切り替え信号によって、逐次制御から自動制御に移行する。
【００５８】
（実施の形態１）
【００５９】
実施の形態１について説明する。
【００６０】
（全体概要）
まず、実施の形態１における教育教材用ロボットの全体概要について説明する。
【００６１】
図１は、本発明の実施の形態１における教育教材用ロボットの模式図である。図１は、自動車型のロボットとこれと制御ケーブルで接続される制御装置とを合わせて示している。
【００６２】
教育教材用ロボット１は、大きな要素として、ロボット２、制御装置３および制御ケーブル４を備える。
【００６３】
ロボット２は、電気的な制御信号による逐次制御および実行オブジェクトであるプログラムによる自動制御の少なくとも一方に基づいて動作する。ロボット２は、人型ロボット、動物型ロボット、乗り物型ロボットなど、種々の形態を有していればよいが、図１においては、自動車型のロボット１が表されている。
【００６４】
このため、ロボット２は、本体部２１、車輪２２を備えており、逐次制御もしくは自動制御によって車輪２２の回転動作、方向変換動作を生じさせて制御に従った動作を行う。例えば、ロボット２に対して前進の制御命令が与えられると、車輪２２が前進方向に回転する。
【００６５】
ロボット２は、更に制御部２３を備える。制御部２３は、制御装置３より出力される制御信号およびロボット２内部に記憶されるプログラムの少なくとも一方に基づいて、本体部２１、車輪２２などの動作を制御する。すなわち、制御部２３は、制御信号やプログラムからの命令を、具体的な機械動作や電気動作に変換して、本体部２１の向きを変更させたり車輪２２の回転を制御したりする。
【００６６】
また、ロボット２は、制御ケーブル４が接続される接続部２４を備える。この接続部２４は、種々の接続手段によってロボット２と接続しており、接続手段の一例として、図１では、接続部２４は、本体部２１との接続を実現する接続手段として電磁石２５を示している。電磁石２５の磁力によって、制御ケーブル４は、ロボット２と接続される。
【００６７】
制御ケーブル４の一方は、制御装置３に接続される。制御装置３は、制御ケーブルを介して、電気信号である制御信号をロボット２に出力する。
【００６８】
制御装置３は、制御ダイヤル３１や制御ボタン３２を備え、使用者は、この制御ダイヤル３１や制御ボタン３２を操作することで、ロボット２に対して制御信号を出力する。制御信号は、制御ケーブル４を通じてロボット２に到達し、ロボット２においては、制御部２３で制御信号が処理されてロボット２の動作を決定する。
【００６９】
ここで、ロボット２は、制御装置３から制御ケーブル４を通じて付与される制御信号に基づいて動作する場合には、使用者による逐次的な制御装置３の操作に基づく逐次制御によって動作する。すなわち、制御装置３から使用者の操作によって逐次的に出力される制御信号に基づく制御を、逐次制御とする。
【００７０】
一方、ロボット２は、内部に設けられる記憶部やメモリなどに記憶されている実行オブジェクトとなっているプログラムに基づいて動作することもできる。プログラムは、その処理手順に従って制御命令をロボット２に出力し、ロボット２を動作させる。このとき、使用者による操作の介在は不要であり、プログラムの処理手順に従って、ロボット２は、自動で動作させられる。このような予め記憶されたプログラムに基づく制御を、自動制御とする。
【００７１】
このため、ロボット２は、制御装置３からの制御信号に基づく逐次制御でも、内蔵されたプログラムに基づく自動制御でも、いずれでも動作可能である。
【００７２】
ここで、ロボット２は、教育教材用として用いられるので、逐次制御を行うに当たっては、教育的手順として有線接続された制御ケーブル４を通じて、制御装置３からロボット２に制御信号を送ることが行われる。教育現場においては、制御装置３の操作によって、具体的にどのような制御信号が出力されて、出力された制御信号によってロボット２がどのように動作するか、といったことを学ぶことが求められるからである。
【００７３】
このため、逐次制御によってロボット２を動作させる際には、有線ケーブルである制御ケーブル４がロボット２に接続されていることが前提となる。無線通信による逐次制御の場合には、無線通信特有の別の問題（例えば、ノイズ対策、エラー対策、アンテナ技術）への対処を行う必要があり、これらは教育現場での教育カリキュラムとしては、要求度が高くなりすぎるからである。要求度が高くなりすぎると、教育教材用としてのロボットには不適となってしまう。このため、実施の形態１における教育教材用ロボットとしては、逐次制御は有線接続された制御ケーブル４によって実行されることが好ましい。有線通信であれば、上述のような無線通信特有の問題への対処が不要となり、教育現場における使用者（児童や生徒）は、これらの問題を考慮することなく、制御装置３の操作において（あるいは制御装置３の操作系統の設計において）ロボット２の逐次制御を学ぶことができる。
特に、無線通信に基づいてロボットを動作させることになると、教育現場においては、狭い教室の中で多数の電波が飛び交って、複数の電波が混乱する状態となる。これを防止するには、複数の周波数帯を用意する必要があるが、電波法などの点で困難である。あるいは、ロボットコンテストなどを行う際でも、体育館などの狭い空間において、多数の電波が飛び交う状態となるのでやはり困難が生じる。このような困難を理由として、教育現場においては、ロボットを無線通信によって逐次制御することが困難である。すなわち、上述の通り、逐次制御の場合には有線通信での制御が不可欠である。
【００７４】
一方、使用者がロボット２をプログラムに基づく自動制御に切り替えて動作させたい状態になることがある。教育現場においては、電気信号である制御信号を逐次発生させて逐次制御する教育だけでなく、プログラム言語やプログラム作成ツールを用いてプログラムを作成し、作成されたプログラムによる制御を学ぶことも求められるからである。
【００７５】
特に、プログラムの処理手順は、逐次制御での一つ一つの制御命令の組み合わせを含んでいる。このため、まずは制御装置３を操作して発生させる一つ一つの制御命令を学んだ後で、これら制御命令の組み合わせにより形成されるプログラムを学ぶことが、教育現場では好ましい。このため、逐次制御でのロボット２の制御を学んだ後で、プログラムによる自動制御でのロボット２の制御を学ぶことが、学校現場では好ましい。ロボット２は、この自動制御によっても動作できるので、使用者は、制御装置３の操作によって、ロボット２の動作を逐次制御から自動制御に切り替えることができる。
【００７６】
制御装置３は、使用者が逐次制御から自動制御に切り替えることを欲する場合に、制御装置３は、切り替え信号を発生させる。この切り替え信号は、制御ケーブル４を通じてロボット２に出力される。ロボット２の制御部２３は、この切り替え信号によって、ロボット２の動作を、逐次制御から自動制御に切り替える。具体的には、切り替え信号を受けて制御部２３は、プログラムを起動させてプログラムの処理手順に従ってロボット２を制御するようになる・
【００７７】
ここで、ロボット２を自動制御するプログラムは、ロボット２内部に記憶されていればよいので、制御ケーブル４がロボット２に接続されたままの状態であっても、ロボット２は、自動制御によって動作可能である。
【００７８】
しかしながら、自動制御となった後では、ロボット２が制御ケーブル４によって束縛されていることは、動作における自由度の面から好ましくない。そこで、実施の形態１の教育教材用ロボット１は、切り替え信号に基づいて、制御ケーブル４は、ロボット２に対する拘束力を弱める。
【００７９】
図２は、本発明の実施の形態１における制御ケーブルがロボットに対する拘束力を弱める状態を説明する模式図である。図２は、ロボット２に接続する制御ケーブル４が、切り替え信号を受けて、ロボット２に対する拘束力を弱める状態を示している。
【００８０】
図２の左側における教育教材用ロボット１は、制御装置３から制御ケーブル４を介して出力される制御信号によって、ロボット２を逐次動作させる。ここで、制御装置３から切り替え信号が出力されることで、制御ケーブル４はロボット２に対する拘束力を弱める。図２の右側の教育教材用ロボット１は、制御ケーブル４がロボット２に対する拘束力を弱めている。
【００８１】
拘束力を弱める手段の一例として、図２の右側に示すように、制御装置３から伸びる制御ケーブル４の長さが延長される。例えば、制御装置３は、制御ケーブル４を収納する収納機構を備えており、切り替え信号を受けて、この収納機構は、収納している制御ケーブル４を押し出して長くする。制御ケーブル４の長さが長くなることで、制御ケーブル４は、ロボット２に対する拘束力を弱めることができる。
【００８２】
あるいは、図３に示されるように、制御ケーブル４は、切り替え信号に基づいてロボット２から外れてもよい（解除されてもよい）。ロボット２から制御ケーブル４が外れることで、ロボット２は、より自由に動作できるようになる。
【００８３】
図３は、本発明の実施の形態１における教育教材用ロボットの制御ケーブルが外れる状態を説明する模式図である。図３は、ロボット２に接続する制御ケーブル４が、切り替え信号を受けて、ロボット２から外れる状態を示しており、図４の左側の状態から右側の状態へ変化する状況を示している。
【００８４】
図３の左側は、制御ケーブル４が接続部２４によってロボット２に接続され、制御装置３からの制御信号によってロボット２が逐次制御されている状態を示している。この状態では、制御ケーブル４は、ロボット２に接続されており、制御装置３からの制御信号は、制御ケーブル４を通じてロボット２に到達する。ロボット２は、この制御信号に基づいて動作する。
【００８５】
ここで、制御装置３から切り替え信号が出力されると、接続部２４がロボット２より切離されて、制御ケーブル４が外れる。図３の右側に示す状態である。制御ケーブル４は、接続部２４によってロボット２に接続されているので、接続部２４がロボット２から切離されることで、制御ケーブル４がロボット２から外れる。もちろん、接続部２４はロボット２に接続したままで、接続部２４から制御ケーブル４が外れる構成でも良い。
【００８６】
制御ケーブル４が外れることで、ロボット２は制御ケーブル４による拘束を受けなくなり、ロボット２は自由に動作できるようになる。制御ケーブル４が外れた後では、ロボット２は、プログラムによる自動制御に基づいて動作する。例えば、制御部２３がプログラムを読み出して、プログラムに含まれる動作命令手順に従って、ロボット２を動作させる。
【００８７】
このように、制御ケーブル４がロボット２に対する拘束力を弱めたり制御ケーブル４がロボット２から外れたりすることで、ロボット２は、動作可能な動作空間において、プログラムによる自動制御によって、自由に動作を行うことができる。
【００８８】
ロボット２の動作空間での自由度が高まることで、ロボット２は、プログラムに基づいて高い自由度で動作できる。これはすなわち、ロボット２を制御するプログラムの自由度を高めることにもつながり、プログラムを設計する際の制限が少なくなる。
【００８９】
特に、教育教材用ロボット１は、教育現場での教育用として用いられる。児童や生徒は、ロボット２を動作させる逐次制御やプログラム設計を学ぶ。このプログラム設計を学ぶ際に、ロボット２の動作が制御ケーブル４によって制限されるのでは、プログラム設計での自由度が低くなる。ロボット２の性能や引き出したい動作種類といった制限によって、プログラムをレベルアップさせる学習は教育には適しているが、本来できるべき動作が物理的にできないということでの制限は、教育効果を著しく減じる。ロボット２が自動制御に切り替わる際に、制御ケーブル４によるロボット２の拘束が弱まって、ロボット２の動作自由度が高まることは、プログラム設計を学習することにとっても好適である。
【００９０】
以上のように、教育教材用ロボット１は、制御装置３の操作による逐次制御およびプログラムによる自動制御を、教育現場で学習させるのに最適である。
【００９１】
また、切り替え信号は、制御ケーブル４の拘束力を弱めたり制御ケーブル４を外したりするきっかけとなるが、そもそもは、ロボット２の制御方法を切り替える。すなわち、切り替え信号が出力される前では、ロボット２は、制御装置３から出力される制御信号に基づいた逐次制御によって制御され、切り替え信号が出力された後では、ロボット２は、プログラムによる自動制御によって制御される。もちろん、切り替え信号によって、逐次制御から自動制御に切り替わるまでの間では、所定の時間を要しても良いし、切り替えのための他の制御が含まれていても良い。
【００９２】
次に、各部の詳細について説明する。
【００９３】
（ロボット）
【００９４】
ロボット２について説明する。
【００９５】
ロボット２は、逐次制御もしくは自動制御によって動作する。ロボット２は、機械部品と電子部品とによって、動作する装置である。ロボット２は、逐次制御および自動制御の少なくとも一方で動作すればよいので、市販されるロボットやキット組み立てなどで簡単に組み立てられるロボットを用いればよい。もちろん、教育現場での教育の一環として、ロボット２も児童や生徒に組み立てられれば良い。
【００９６】
ロボット２は、人間型ロボット、動物型ロボット、自動車型ロボット、飛行機方ロボットなど、種々の形態を含む。図１〜図３では、自動車型ロボットが示されているが、図４に示されるように、人間型ロボット２８が用いられても良い。図４は、本発明の実施の形態１における人間型ロボットの正面図である。
【００９７】
自動車型ロボットの場合には、ロボット２の動作のために車輪２２が用いられているが、人間型ロボット２８の場合には、四肢によって動作する。このため、人間型ロボット２８は、より自由でかつコミカルな動作を行える。人間型ロボット２８は、制御ケーブル４とこれを接続する接続部２４を備えており、この制御ケーブル４によって逐次制御される。人間型ロボット２８は、四肢を備えているので、四肢を動作させることのできる間接を備えている。
【００９８】
ロボット２や人間型ロボット２８は、内部に制御部２３を備えている。
【００９９】
この制御部２３は、制御ケーブル４を通じて得られた制御信号を処理し、具体的な動作信号を発生させて、ロボット２の動作を制御する。また、ロボット２や人間型ロボット２８は、内部に記憶部を備えており、この記憶部は実行オブジェクトとなったプログラムを記憶する。このため、制御部２３は、記憶部からプログラムを読み出して、プログラムに含まれる動作命令手順に従って、ロボット２の動作を制御する。
【０１００】
ここで、制御部２３は、制御信号やプログラムの動作命令手順に基づいて、ロボット２の動作に必要となる要素を制御する。例えば、自動車型ロボットの場合には、車輪２２や本体部２１の方向などを制御する。制御部２３が、車輪２２の回転方向、回転数を制御することで、自動車型ロボットであるロボット２は、前進、直進、カーブ、後退、停止などを実行できる。これらの動作制御は、制御装置３からの制御信号もしくはプログラムからの動作命令手順に基づいている。
【０１０１】
あるいは、人間型ロボット２８の場合には、制御部２３は、四肢の間接の動作を制御する。伸長、折り曲げ、前進、後退などを制御することで、制御部２３は、制御信号や動作命令手順に基づいて、人間型ロボット２８を動作させることができる。
【０１０２】
ロボット２は、制御部２３による制御に必要なその他の要素も有している。例えば、電源や表示装置などである。
以上のように、ロボット２は、逐次制御や自動制御によって動作を制御され、この制御に基づく動作に必要となる要素を備えている。なお、ロボット２は、無線通信による逐次制御によって動作可能であっても良い。
【０１０３】
（制御装置）
制御装置３は、制御ケーブル４を通じて、制御信号をロボット２に出力する。
【０１０４】
制御装置３は、いわゆるリモートコントロールが行われるロボットのコントローラーに対応するものであり、図１に示されるように、操作ダイヤル３１や操作ボタン３２を備えている。更には、タッチパネルや操作キーボードなどを備えており、使用者はこれらの操作デバイスを介して制御信号を発生させる。
【０１０５】
制御装置３は、使用者が操作するのに用いるデバイスであるので、使用者が持ちやすい形状を有していることが好ましい。特に、教育教材用ロボット１は、教育現場で用いられるので、制御装置３は、児童や生徒に用いられる。このため、制御装置３はその大きさが小さめであって、落としにくいように滑り止めや指の握り形状に合わせたフィット部材を備えていることも好適である。また、操作ダイヤル３１や操作ボタン３２は、児童や生徒が使用しやすいように、大きめであって見やすい形状を有していることが好ましい。
【０１０６】
また、制御装置３は、ロボット２の動作を制御するための逐次制御を学ぶのに用いられる。このため、操作ダイヤル３１、操作ボタン３２、タッチパネルなどは、ロボット２が実行可能な動作種類に対応する制御信号を把握しつつ出力できる構成を有していることが好ましい。例えば、ロボット２が自動車型ロボットである場合には、「前進」、「後退」、「停止」、「加速」、「減速」、「右旋回」、「左旋回」などのように、ロボット２が実行可能な動作種類が存在する。制御装置３は、これらの動作種類毎に操作ボタン３２を有しており、操作ダイヤル３１でその動作種類における度合いを制御できるような構成を有していることが好ましい。このような構成を有していることで、児童や生徒は、ロボット２に対して、複数の動作種類のそれぞれに対応する制御信号を発生させていることを、容易に把握できるからである。
【０１０７】
動作種類に対応する制御信号を発生させていることを容易に把握できることで、児童や生徒は、自らがロボット２を制御していることを確認しながら制御できる。このように、都度ごと確認しながら制御できることで、児童や生徒は、制御（逐次制御）を的確に学ぶことができる。
【０１０８】
また、制御装置３は、逐次制御から自動制御に切り替えるための切り替え信号を出力できる。
【０１０９】
例えば、制御装置３は、操作ボタン３２の一部に「制御切り替え」などの命令ボタンを備えている。使用者は、この命令ボタンを実行することで、逐次制御から自動制御へ変更できる。すなわち、切り替え信号は、制御装置３からの命令によって発生し、制御ケーブル４を通じてロボット２に伝達される。
【０１１０】
もちろん、切り替え信号は、操作ボタン３２ではなく、タッチパネルや操作ダイヤルなどによって発生されても良い。
【０１１１】
制御装置３は、操作ボタン３２などで生成された制御信号を、電気信号としてロボット２に出力する。このとき、ロボット２へは、制御ケーブル４を通じて出力される。制御ケーブル４は、制御装置３とロボット２との間を有線接続で接続しているので、ノイズやエラーといった問題を余り考慮せずに、制御信号をロボット２に伝達できる。このため、制御装置３で自らの考えで発生させた制御信号（これは、ロボット２の動作種類に対応している）は、ノイズやエラーなどの要因によって、ロボット２に誤って伝達される可能性が低い。このため、ロボット２は、制御装置３で発生させた制御信号の通りに動作する。
【０１１２】
このように、自らが発生させた制御信号に従ってロボット２が動作することで、児童や生徒は、自らの逐次制御を確認できる。ロボット２が、制御信号に従った動作を行うからである。この点でも、制御信号が有線接続された制御ケーブル４によって伝達されることは、教育現場での教材としては適当である。
【０１１３】
（制御ケーブル）
次に、制御ケーブル４について説明する。図５は、本発明の実施の形態１における制御ケーブルの取り外しを説明する模式図である。
【０１１４】
制御ケーブル４は、制御装置３とロボット２とを有線接続する有線ケーブルであり、制御装置３からの制御信号をロボット２に伝達する。もちろん、必要に応じて、ロボット２からの種々の信号を制御装置３に伝達しても良い。
【０１１５】
制御ケーブル４は、例えば同軸ケーブル、光ファイバケーブル、電気コード、電気ラインなど、様々な素材を用いればよく、電気信号を伝達できればよい。
【０１１６】
制御ケーブル４は、制御装置３には半田付けやコネクタなどによって接続されており、ロボット２には接続部２４を介して接続されている。このため、制御ケーブル４は、接続部２４がロボット２から外れることで外れることができる。もちろん、接続部２４がロボット２に残った状態で、制御ケーブル４だけが外れても良い。
【０１１７】
すなわち、切り替え信号を受けて、接続部２４がロボット２の本体部２１から外れるか、制御ケーブル４が接続部２４から外れるかすれば、逐次制御から自動制御に移行する際に、制御ケーブル４によるロボット２の束縛が無くなる。
【０１１８】
ここで、一例として接続部２４は、電磁石２５を備えており、電磁石２５の磁力によって接続部２４はロボット２の本体部２１に接続している。図５では、この電磁石２５を備える接続部２４が、ロボット２の本体部２１に接続している状態が示されている。この電磁石２５に電流が与えられることで電磁石２５は、磁力を発生させて、この磁力によって接続部２４は本体部２１に接続する。
【０１１９】
制御ケーブル４は、ロボット２の動作を制御する制御信号を伝達する制御ライン４１と電磁石２５に電流を付与する電流ライン４２とを備える。図５においては、制御ライン４１と電流ライン４２のそれぞれが別の有線ケーブルとして表されているが、一つの有線ケーブルでまとめられても良い。
【０１２０】
制御ライン４１は、制御装置３からの制御信号をロボット２に伝達するが、電流ライン４２は、電磁石２５への電流の付与信号を伝達する。制御装置３は、スイッチ３５を備えており、このスイッチ３５は、ＯＮとＯＦＦとを切り替えることができる。このＯＮとＯＦＦとは、スイッチ３５を操作することで切り替わる。
【０１２１】
例えば、スイッチ３５がＯＮの状態では、電流ライン４２には電流が付与されており、この電流が電磁石２５に伝達して電磁石２５は磁力を発生させる。一方で、スイッチ３５がＯＦＦの状態では、電流ライン４２には電流が付与されずに、電流が電磁石２５に伝達しない。この結果、電磁石２５は磁力を発生させない。電磁石２５の磁力が消失することで、接続部２４は、ロボット２の本体部２１から外れる。この結果、制御ケーブル４がロボット２から外れて、ロボット２に対する拘束力を消失させる。
【０１２２】
なお、制御ライン４１および電流ライン４２のそれぞれが接続部２４に接続されており、電磁石２５の磁力が失われると、接続部２４全体が外れる。この結果、制御ライン４１および電流ライン４２の全てがロボット２から外れる。
【０１２３】
スイッチ３５は、逐次制御から自動制御に切り替える操作に用いられるので、電流ライン４２に流れる電流を制御する以外に、制御ライン４１を通じてロボット２に切り替え信号を出力する。この切り替え信号を受けて、ロボット２の制御部２３は、逐次制御から自動制御に切り替える。すなわち、スイッチ３５は、電流ライン４２に合わせて制御ライン４１にも信号を出力する。制御ライン４１を伝達される信号は、切り替え信号としてロボット２に伝達され、電流ライン４２には、電磁石２５に付与される（付与されないことも含む）電流が伝達される。
【０１２４】
このように、接続部２４が電磁石２５を備えており、制御ケーブル４がこの電磁石２５の磁力によってロボット２に接続されている場合には、電磁石２５に対する電流の付与を制御するだけで、制御ケーブル４の接続と解除とを切り替えることができる。
【０１２５】
なお、電磁石２５を用いた制御ケーブル４の切り替えは一例であり、制御装置３から出力される切り替え信号に基づいて、制御ケーブル４が外れる機構であればなんでもよい。
【０１２６】
（ロボット２の自由度確保）
【０１２７】
教育教材用ロボット１は、例えばロボットコンテストなどに出展され、所定の空間で動作することがある。ロボットコンテストでは、所定空間でロボットがその動作を披露したり、ロボット同士が何らかの競争を行ったりする。図６は、本発明の実施の形態１における所定空間でのロボットの動作を示す説明図である。
【０１２８】
所定空間５０は、ロボット２がその動作を披露する空間であったり、ロボット同士が競技を行ったりする空間である。教育教材用ロボット１の特徴として、製作した教育教材用ロボット１の出来具合を披露する必要がある。
【０１２９】
製作者である児童や生徒は、ロボット２を所定空間５０に設置し、当所は制御ケーブル４を接続した制御装置３から逐次制御によって動作させる。このように制御ケーブル４を介した逐次制御においては、所定空間５０において、制御ケーブル４の束縛や拘束を受けながらも、ロボット２は、その動作を披露できる。制御装置３からの逐次制御を披露するので、ロボット２は、所定空間５０の一部を活用して動作する。その後、製作者は、逐次制御から自動制御に切り替える命令を出力し、制御ケーブル４がロボット２から外れる。
【０１３０】
制御ケーブル４が外れた後では、ロボット４がプログラムに基づく自動制御によって動作を開始する。
【０１３１】
図６中の破線矢印Ａは、ロボット２が自動制御によって動作する動線を示している。破線矢印Ａに示されるとおり、所定空間５０を十分に活用して、ロボット２は動作することができる。制御ケーブル４による束縛や拘束が減少しているので、ロボット２は、所定空間５０を自由に動作できる。このように自由に動作できるようになることで、ロボット２は、所定空間５０内で、種々の動作披露や競技を行うことができる。
【０１３２】
以上のように、実施の形態１における教育教材用ロボット１は、制御ケーブル４が接続されている状態から外れる状態に移行した後で、所定空間５０を有効に活用して自由度の高い動作を示すことができる。結果として、逐次制御および自動制御の両方での製作結果を、製作者は披露できると共に、自動制御における制御ケーブル４による束縛等を排除できることで、自由度の高い動作を披露できる。このため、製作者である児童や生徒は、製作結果を十分に把握でき、教育的効果を感じ取ることができる。
【０１３３】
このように、実施の形態１における教育教材用ロボット１は、教育現場において、高い効果を発揮できる。このため、教育教材としてのロボットという新しいビジネスモデルに資するものである。特に、学校などの教育現場やその延長戦でのロボットコンテストなどで有線通信による逐次制御とこれに続く自動制御を同時に行うことは、新しい教育カリキュラムを生み出すことができる。このような意味でも実施の形態１における教育教材用ロボット１は、さまざまな広がりを見せる。
【０１３４】
（実施の形態２）
【０１３５】
次に、実施の形態２について説明する。
【０１３６】
実施の形態２では、制御装置やロボットの変形例について説明する。
【０１３７】
（制御装置の変形例）
図７は、本発明の実施の形態２における制御装置の模式図である。図７に示される制御装置３は、操作ボタン３２に加えて、表示部３７を備えている。表示部３７は、制御装置３において制御する制御信号や制御状態を表示することに加えて、逐次制御から自動制御に移行した後で、プログラムの動作状態を表示する。
【０１３８】
逐次制御から自動制御に移行すると、制御ケーブル４が外れて、ロボット２はプログラムによる自動制御に基づいて自立して動作する。このため、使用者は、制御装置３を介した操作を行うことができなくなる。この場合に、ロボット２が、製作者が設計したプログラムに従って動作しているかを把握することは、使用者にとっては難しい。ロボット２の動作を見るだけでは分かりにくいからである。特に、教育教材用ロボット１は、教育現場での教育目的で用いられるので、製作者が製作したプログラムに従ってロボット２が動作しているかを、使用者が確かめることができることが望ましい。
【０１３９】
このため、表示部３７がプログラムの動作状態を表示することは、製作したプログラムの内容を表示部３７で見ることを提供できる。この結果、使用者は、手元に把持する制御装置３の表示部３７で、プログラムの動作状態を見ながら、実際に動作するロボット２の動作を見ることができる。これら、表示部３７の確認とロボット２の動作の確認とを合わせることで、使用者は製作したプログラムどおりにロボット２が動作していることを確認できる。
【０１４０】
例えば、表示部３７は、プログラムの手順をそのまま表示したり、フローチャートなどに置き換えて、実行順序を表示したりして、ユーザーインターフェースの高い表示を行うことも好適である。
【０１４１】
ロボット２が製作したプログラムに従って動作していないと判断する場合には、ロボット２の製作に問題があったり、プログラムの製作に問題があったりすることを把握できるので、製作者である児童や生徒は自ら製作した教育教材用ロボット１を修正することになる。この結果、教育的目的がより確実に達成される。
【０１４２】
（緊急停止）
【０１４３】
ロボット２の動作を逐次制御から自動制御に切り替える際には、使用者は制御装置３から切り替え信号を出力する。この切り替え信号によって、実施の形態１で説明したように、例えば電磁石に対する電流が遮断されて、接続部から制御ケーブル４が外れる。制御ケーブル４が外れることで、ロボット２は、制御ケーブル４による拘束や束縛を受けることなく、動作できるようになる。
【０１４４】
しかし、電磁石の磁力が残ってしまったり、制御ケーブル４がロボットに引っかかったりして制御ケーブル４がロボット２の本体部２１から外れないままになってしまうこともありうる。このように、制御ケーブル４が外れないような想定外の事態が生じてしまうと、ロボット２は、自動制御によって動作する際に倒れたりぶつかったりして、危険である。ロボット２が倒れたり壁にぶつかったりすると、故障してしまう可能性もある。
【０１４５】
このような場合には、ロボット２に含まれる制御部２３は、切り替え信号の発生している状態と制御ケーブル４が外れていない状態との両方を検出し、ロボット２の動作を緊急停止させる。
【０１４６】
制御部２３は、切り替え信号を受信するので、切り替え信号の発生を検出できる。加えて、制御ケーブル４がロボット２に接続している状態であると制御ケーブル４とロボット２との間に電気信号が流れるので、制御部２３は、制御ケーブル４が接続している状態も検出できる。
【０１４７】
このように、制御部２３は、切り替え信号が発生している状態と制御ケーブル４が外れていない状態との両方を検出できる。この両方の状態を検出できると、制御部２３は、プログラムの起動を停止したり、ロボット２の動作信号を停止したりして、ロボット２の動作を緊急停止させる。ロボット２が緊急停止することで、ロボット２が制御ケーブル４の束縛を受けたまま動作して故障するなどの問題を未然に防止できる。
【０１４８】
もちろん、このような緊急停止は必要に応じて用いられるオプションであり、必須の構成要件ではない。
【０１４９】
このように、制御ケーブル４が外れない場合に備えて、ロボット２を停止させることで、ロボット２の故障などの問題を未然に防止でき、教育教材用として適切な使用が可能となる。
【０１５０】
（キットでの流通）
【０１５１】
実施の形態１、２で説明した教育教材用ロボット１は、教育現場で児童や生徒によって製作されることが多い。このため、最初から完成したロボット２や制御装置３が提供されるだけではなく、ロボット２や制御装置３を製作するのに必要な部材や要素が提供され、児童や生徒がこれらの部材や要素を組み立てて実際の教育教材用ロボット１として使用することも多い。
【０１５２】
このため、教育教材用ロボット１では、ロボット２（これを製作するのに必要な部材や要素の状態でもよい）、制御装置３（これを製作するのに必要な部材や要素の状態でも良い）、制御ケーブル４と、がキットの状態で製造、販売、流通されてもよい。このようなキットの状態で教育現場には提供され、児童や生徒は、これらのキットに含まれる部材を組み立てて教育教材用ロボット１を製作する。
【０１５３】
もちろん、プログラムの設計ツールや設計したプログラムを記憶させる記憶部、記憶部に記憶させるためのツールなども、製作補助具として提供されてもよい。児童や生徒は、これらの製作補助具も用いながら、ロボット２を組み立てたり、ロボット２の自動制御に必要となるプログラムを設計したりする。このように、完成品の状態ではなく、キットの状態によって提供されることにより、教育的目的がより高度に達成されることになる。
【０１５４】
このため、実施の形態１、２では、ロボット２や制御装置３について説明したが、教育教材用ロボット１は、これらの要素が完成した状態ではなく、未完成の状態で提供されて、児童や生徒によって完成の状態に移行されても良い。すなわち、本発明における、ロボット２、制御装置３、制御ケーブル４との要素は、完成品も未完成品も含む。
【０１５５】
以上、実施の形態１〜２で説明された教育教材用ロボットは、本発明の趣旨を説明する一例であり、本発明の趣旨を逸脱しない範囲での変形や改造を含む。
【符号の説明】
【０１５６】
１    教育教材用ロボット
２    ロボット
２１    本体部
２２    車輪
２３    制御部
２４    接続部
２５    電磁石
３    制御装置
３１    操作ダイヤル
３２    操作ボタン
３５    スイッチ
３７    表示部
４    制御ケーブル
４１    制御ライン
４２    電流ライン
５０    所定空間
【図１】
2011224732.tif 000003
【図２】
2011224732.tif 000004
【図３】
2011224732.tif 000005
【図４】
2011224732.tif 000006
【図５】
2011224732.tif 000007
【図６】
2011224732.tif 000008
【図７】
2011224732.tif 000009